(57)【要約】【課題】使用者の快適性を向上できるナビゲーション装置を提供する。【解決手段】使用者による目的地の入力を行う操作部１０と、施設と該施設に必要な持ち物とを関連付けて記憶するデータベース１３とを備え、目的地に設定された施設に対応する持ち物をデータベース１３から抽出する。データベース１３から抽出した持ち物を表示部１１の表示等によって使用者に報知した。【選択図】図５
2011002367.tif 000002
【特許請求の範囲】
【請求項１】
使用者による目的地の入力を行う操作部と、施設と該施設に必要な持ち物とを関連付けて記憶するデータベースとを備え、目的地に設定された施設に対応する持ち物を前記データベースから抽出して使用者に報知することを特徴とするナビゲーション装置。
【請求項２】
目的地に応じて抽出された持ち物を一覧表示する表示部を備え、前記表示部に表示された持ち物の選択操作によって該持ち物の購入施設を検索して前記表示部に一覧表示するとともに、一覧表示された購入施設の選択操作によって該購入施設が目的地までの経路の経由地に設定されることを特徴とする請求項１に記載のナビゲーション装置。
【請求項３】
前記データベースが施設の種別毎に持ち物を関連付けて記憶することを特徴とする請求項１または請求項２に記載のナビゲーション装置。
【請求項４】
目的地の天気を取得する通信部を備えるとともに前記データベースが天気に応じて必要な持ち物を関連付けて記憶し、目的地の天気に対応する持ち物を前記データベースから抽出して使用者に報知することを特徴とする請求項１〜請求項３のいずれかに記載のナビゲーション装置。
【発明の詳細な説明】
【技術分野】
【０００１】
本発明は、目的地までの経路を探索して使用者を案内するナビゲーション装置に関する。
【背景技術】
【０００２】
従来のナビゲーション装置は特許文献１に開示されている。このナビゲーション装置は使用者により目的地が入力されると目的地までの経路を探索して表示部の地図上に表示する。また、目的地や経路途中の施設の営業時間、料金、内容案内等の施設情報を取得して表示部に表示する。これにより、使用者は目的地の施設について予め把握することができる。
【先行技術文献】
【特許文献】
【０００３】
【特許文献１】特開２００３−２０７３５３号公報（第３頁−第９頁、第２図）
【特許文献２】特開２００２−１３１０６４号公報（第３頁−第５頁、第８図）
【発明の概要】
【発明が解決しようとする課題】
【０００４】
ナビゲーション装置は観光等によって目的地の内容や目的地までの経路を使用者がよく知らない場合に利用される。しかしながら、上記従来のナビゲーション装置の案内により目的地に到着した際に、使用者が目的地の施設で所持していないと不便な物品を持参するのを忘れる場合がある。例えば、目的地の施設が神社や寺院の場合に女性がハイヒールを履いており、運動靴を持参していないため歩きにくくなる。従って、使用者が目的地で十分楽しむことができず、使用者の快適性が低下する問題があった。
【０００５】
本発明は、使用者の快適性を向上できるナビゲーション装置を提供することを目的とする。
【課題を解決するための手段】
【０００６】
上記目的を達成するために本発明は、使用者による目的地の入力を行う操作部と、施設と該施設に必要な持ち物とを関連付けて記憶するデータベースとを備え、目的地に設定された施設に対応する持ち物を前記データベースから抽出して使用者に報知することを特徴としている。
【０００７】
この構成によると、使用者による操作部の操作によって目的地が設定されると目的地までの経路が探索される。また、データベースから目的地の施設に関連付けられた持ち物が抽出され、表示や音声によって報知される。これにより、使用者は目的地の施設で必要な持ち物を持参して目的地まで経路案内される。
【０００８】
また本発明は、上記構成のナビゲーション装置において、目的地に応じて抽出された持ち物を一覧表示する表示部を備え、前記表示部に表示された持ち物の選択操作によって該持ち物の購入施設を検索して前記表示部に一覧表示するとともに、一覧表示された購入施設の選択操作によって該購入施設が目的地までの経路の経由地に設定されることを特徴としている。
【０００９】
この構成によると、目的地を設定すると目的地の施設に関連付けられた持ち物が表示部に一覧表示される。一覧表示された持ち物から一または複数の持ち物を選択操作すると、選択された持ち物を購入できる購入施設を検索して表示部に一覧表示する。更に一覧表示された購入施設から所望の購入施設を選択操作すると、選択された購入施設が経路の経由地に設定される。これにより、使用者は持ち物を購入するために購入施設まで経路案内される。
【００１０】
また本発明は、上記構成のナビゲーション装置において、前記データベースが施設の種別毎に持ち物を関連付けて記憶することを特徴としている。この構成によると、データベースには各施設に対して神社、寺院、コンビニエンスストア、ガソリンスタンド、公園等の種別の情報が記憶される。そして、施設の各種別に対して必要な持ち物が関連付けられる。これにより、施設毎に持ち物を関連付けるよりもデータ量が削減される。
【００１１】
また本発明は、上記構成のナビゲーション装置において、目的地の天気を取得する通信部を備えるとともに前記データベースが天気に応じて必要な持ち物を関連付けて記憶し、目的地の天気に対応する持ち物を前記データベースから抽出して使用者に報知することを特徴としている。この構成によると、データベースから目的地の天気に関連付けられた持ち物が抽出され、表示や音声によって報知される。
【発明の効果】
【００１２】
本発明によると、施設と該施設に必要な持ち物とを関連付けて記憶するデータベースを備え、目的地に設定された施設に対応する持ち物をデータベースから抽出して使用者に報知するので、目的地の施設に必要な持ち物の持参忘れを防止して使用者の快適性を向上することができる。
【図面の簡単な説明】
【００１３】
【図１】本発明の実施形態のナビゲーション装置の構成を示すブロック図
【図２】本発明の実施形態のナビゲーション装置の経路案内開始時の動作を示すフローチャート
【図３】本発明の実施形態のナビゲーション装置の目的地の施設検索画面を示す図
【図４】本発明の実施形態のナビゲーション装置の目的地の設定画面を示す図
【図５】本発明の実施形態のナビゲーション装置の持ち物リストの表示画面を示す図
【図６】本発明の実施形態のナビゲーション装置の持ち物の購入施設の検索画面を示す図
【発明を実施するための形態】
【００１４】
以下に本発明の実施形態を図面を参照して説明する。図１は一実施形態の車載用のナビゲーション装置の構成を示すブロック図である。ナビゲーション装置１は各部を制御する制御部２を備えている。制御部２はＣＰＵ３、描画チップ４、入出力部５、メモリ６を内部に有している。
【００１５】
ＣＰＵ３は各部を制御するための演算を行う。描画チップ４は表示部１１の表示処理を行う。入出力部５は各部との信号の入出力を行う。メモリ６はＲＯＭ及びＲＡＭから成り、ナビゲーション装置１の動作プログラムや設定条件を格納するとともにＣＰＵ３による演算の一時記憶を行う。
【００１６】
制御部２にはＧＰＳ部７、ジャイロセンサ８、車速センサ９、操作部１０、表示部１１、通信部１２及び地図データ部１３が接続される。ＧＰＳ部７はＧＰＳの電波を受信してナビゲーション装置１の現在位置を検知する。ジャイロセンサ８は自動車が曲がる際に加わる加速度を検知して曲がった角度を検出する。ジャイロセンサ８によってＧＰＳの電波が届かない場所で自動車が曲がったことを検知する。車速センサ９は自動車の速度を検出し、ＧＰＳの電波が届かない場所での自動車の進行状態が検知される。
【００１７】
地図データ部１３はＨＤＤ、ＣＤ、ＤＶＤ、フラッシュメモリ等から成り、地図データを格納するとともに詳細を後述する施設情報等のデータベースを格納する。表示部１１は液晶パネルや有機ＥＬパネル等から成り、地図データによる地図や操作メニューの表示を行う。操作部１０は筐体上に設けられる操作キー、表示部１１上に設けられるタッチパネル、リモートコントローラ等から成る。操作部１０によって使用者によるメニュー操作や入力操作が行われる。通信部１２は外部機関と通信を行って情報を取得する。
【００１８】
ナビゲーション装置１は操作部１０の操作によって出発地及び目的地が設定され、メモリ６に格納された動作プログラムによって目的地までの経路を探索して案内する。図２は経路案内開始時の動作を示すフローチャートである。
【００１９】
ステップ＃１１では操作部１０の操作によって目的地が設定されるまで待機する。図３は目的地の施設検索時の表示部１１の表示画面を示している。表示部１１には地図データ部１３に格納された施設が一覧表示される。所望の施設を選択すると図４に示すように地図上に該施設のマーク２１及び目的地の決定を指示するラベル２２が表示される。ラベル２２の押下等により該施設が目的地に設定される。操作部１０の入力により施設の種別を絞り込んだ後に一覧から施設を特定してもよく、住所や電話番号を入力して施設を特定してもよい。
【００２０】
目的地が設定されるとステップ＃１２で施設情報が検索され、ステップ＃１３で通信部１２を介して目的地の天気の情報が取得される。地図データ部１３には表１に示すように施設名、施設の種別（神社・寺院・コンビニエンスストア・ガソリンスタンド・公園等）、施設の経緯度、施設に必要な持ち物のリスト等の施設情報のデータベースが格納される。即ち、施設と施設に必要な持ち物とが関連付けられている。
【００２１】
【表１】
2011002367.tif 000003
【００２２】
例えば、目的地の施設が神社や寺院では地面が石畳であることが多く、ハイヒールでは歩きにくいため運動靴を持参すると歩きやすい。このため、施設に必要な持ち物のデータとして運動靴が記憶される。また、目的地の施設がキャンプ場ではバーベキューセット（炭、網等）や食材等が必要な持ち物として記憶される。
【００２３】
また、地図データ部１３には天気に応じて必要な持ち物を関連付けたデータベースが保管される。例えば、雨の場合は傘や長靴等の持ち物が関連付けられ、花粉が多い場合はマスク等の持ち物が関連付けられる。
【００２４】
ステップ＃１４では目的地の施設及び天気に応じた持ち物のリストが地図データ部１３から取得され、ステップ＃１５で表示部１１に表示される。図５はこの状態の表示部１１の表示画面を示している。表示部１１には図４の表示画面上に持ち物を表示するリストウィンドウ２３が表示される。
【００２５】
リストウィンドウ２３には施設に必要な持ち物の項目が一覧表示され、各項目の先頭にはチェックボックス２４が設けられる。リストウィンドウ２３の下部にはボタン２５、２６が表示される。ボタン２５はチェックボックス２４にチェックされた持ち物の購入施設の検索を指示する。ボタン２６は購入施設の検索を行わずにリストウィンドウ２３を閉じる。
【００２６】
ステップ＃１６ではボタン２５の操作により持ち物の購入施設の検索の指示があったか否かが判断される。購入施設の検索の指示がない場合はステップ＃２１に移行する。購入施設の検索の指示があった場合はステップ＃１７で購入施設の検索が行われる。地図データ部１３には表２に示すように、種々の持ち物とこれを購入可能な施設（以下、「購入施設」という場合がある）の種別とを関連付けたデータベースが保管される。
【００２７】
【表２】
2011002367.tif 000004
【００２８】
そして、各持ち物を購入可能な施設の種別に該当する施設が地図データ部１３から取得され、ステップ＃１８で表示部１１に一覧表示される。図６はこの時の表示部１１の表示画面を示している。所望の購入施設を選択して表示画面の下部に設けられたボタン２７の操作によって購入施設が選択決定される。
【００２９】
ステップ＃１９では一覧表示された購入施設から所望の購入施設が選択されるまで待機する。ボタン２７の操作によって持ち物の購入施設が選択決定されるとステップ＃２０に移行する。ステップ＃２０では選択された購入施設が経路案内の経由地に設定される。尚、複数の持ち物がある場合はステップ＃１７〜＃２０が繰り返し行われる。この時、チェックボックス２４にチェックされた複数または全部の持ち物を購入可能な購入施設を優先して表示するとより望ましい。
【００３０】
ステップ＃２１では経由地を含む目的地までの経路探索が行われる。経路探索が終了するとステップ＃２２で目的地までの経路案内が開始される。これにより、目的地に到着するまで経路案内が行われる。
【００３１】
本実施形態によると、施設と該施設に必要な持ち物とを関連付けて記憶するデータベースを備え、目的地に設定された施設に対応する持ち物をデータベースから抽出して使用者に表示部１１の表示により報知するので、目的地の施設に必要な持ち物の持参忘れを防止して使用者の快適性を向上することができる。この時、目的地の施設に応じた持ち物を音声により使用者に報知してもよい。
【００３２】
尚、地図データ部１３に保管される施設情報のデータベースは各施設のレコード毎に持ち物のリストのデータを保管している。このため、種別の同じ複数の施設に対して重複した持ち物のデータが記憶され、データベースの容量が大きくなる。このため、表３に示すように施設情報のデータベースは施設と施設の種別とを関連付け、表４に示すように施設の種別と持ち物とを関連付けたデータベースを設けてもよい。これにより、データベースの容量を削減して施設と持ち物とを関連付けることができる。
【００３３】
【表３】
2011002367.tif 000005
【００３４】
【表４】
2011002367.tif 000006
【００３５】
また、一覧表示された持ち物の選択操作によって該持ち物の購入施設を検索して一覧表示し、購入施設の選択操作によって該購入施設が目的地までの経路の経由地に設定されるので、容易に購入施設を経由地に設定して目的地の施設に必要な持ち物を購入することができ、使用者の利便性をより向上することができる。
【００３６】
また、通信部１２によって目的地の天気を取得して目的地の天気に対応する持ち物をデータベースから抽出して使用者に報知するので、例えば目的地が雨の時に傘の持参忘れを防止することができる。従って、使用者の快適性をより向上することができる。この時、目的地の天気に応じた持ち物を音声により使用者に報知してもよい。
【００３７】
本実施形態において、施設に関連付けられる持ち物の情報を地図データ部１３に保管しているが、外部のデータベースに保管して通信部１２により取得してもよい。
【産業上の利用可能性】
【００３８】
本発明によると、目的地までの経路を探索して使用者を案内するナビゲーション装置に利用することができる。
【符号の説明】
【００３９】
１    ナビゲーション装置
２    制御部
３    ＣＰＵ
４    描画チップ
５    入出力部
６    メモリ
７    ＧＰＳ部
８    ジャイロセンサ
９    車速センサ
１０    操作部
１１    表示部
１２    通信部
１３    地図データ部
２１    マーク
２２    ラベル
２３    リストウィンドウ
２４    チェックボックス
２５、２６、２７  ボタン
【図１】
2011002367.tif 000007
【図２】
2011002367.tif 000008
【図３】
2011002367.tif 000009
【図４】
2011002367.tif 000010
【図５】
2011002367.tif 000011
【図６】
2011002367.tif 000012